(57)【特許請求の範囲】
【請求項１】
複層ガラスとグレチャンと框とを備え、框は、内周側に開口して複層ガラスの端縁部を呑み込む溝を有し、グレチャンは、複層ガラスの見込み方向一方側面に接着される見付け片と複層ガラスの端面に対向する底面部を有する一方側部材と、複層ガラスの見込み方向他方側面に当接し、一方側部材の底面部に設けられた嵌合溝に見込方向から嵌合する嵌合片を有する他方側部材の２部材からなり、一方側部材と他方側部材とで複層ガラスの端縁部を挟持すると共に、一方側部材と他方側部材とが複層ガラスの見込面内の外周側位置で嵌合していることを特徴とするサッシ。
【発明の詳細な説明】
【技術分野】
【０００１】
本発明は、複層ガラスをグレチャンにより框の溝に保持したサッシに関する。
【背景技術】
【０００２】
従来のサッシの障子は、図６，７に示すように、框の内周側に形成された溝９０内に断面コ字形のグレチャン９１を介して複層ガラス９２の端部を嵌め込んで保持している。複層ガラス９２は、グレチャン９１を介して框の溝９０の室外側の壁と室内側の壁の間に挟持されているだけなので、複層ガラス９２とグレチャン９１の間と、グレチャン９１と框の溝９０の間とにそれぞれずれが生じ、複層ガラス９２が框の溝９０から抜けるおそれがある。特に戸先框９３は、障子を開閉操作する力でたわもうとするため、ガラスの框抜けが起きやすい。これを防ぐため従来は、框の見付寸法を大きくしたり框に中空部を設けるなどして框の剛性を高める必要があった。しかし近年、框の見付寸法をスリムにしたサッシが求められるようになった。
【発明の概要】
【発明が解決しようとする課題】
【０００３】
本発明は以上に述べた実情に鑑み、框の見付寸法をスリムにしても、複層ガラスが框の溝から抜けるのを防止できるサッシの提供を目的とする。
【課題を解決するための手段】
【０００４】
上記の課題を達成するために請求項１記載の発明によるサッシは、複層ガラスとグレチャンと框とを備え、框は、内周側に開口して複層ガラスの端縁部を呑み込む溝を有し、グレチャンは、複層ガラスの見込み方向一方側面に接着される見付け片と複層ガラスの端面に対向する底面部を有する一方側部材と、複層ガラスの見込み方向他方側面に当接し、一方側部材の底面部に設けられた嵌合溝に見込方向から嵌合する嵌合片を有する他方側部材の２部材からなり、一方側部材と他方側部材とで複層ガラスの端縁部を挟持すると共に、一方側部材と他方側部材とが複層ガラスの見込面内の外周側位置で嵌合していることを特徴とする。
【発明の効果】
【０００６】
請求項１記載の発明によるサッシは、グレチャンの一方側部材の見付け片が複層ガラスと接着していることで、グレチャンと複層ガラスとの間でずれが生じず、複層ガラスと框を強固に結合させられるため、框の見付寸法をスリムにしても、複層ガラスが框の溝から抜けるのを防止できる。グレチャンを一方側部材と他方側部材とに分割したことで、一方側部材への接着剤の塗布及び複層ガラスとの接着が容易に行え、一方側部材と他方側部材とを複層ガラスの外周側位置で嵌合させて一体化し、框の溝に押し込むことで、框への取付けも容易に行える。框は従来のものを利用でき、ガラスの交換も可能である。また、一方側部材と他方側部材とを複層ガラスの見込面内の外周側位置で嵌合したことで、厚みの異なる複層ガラスに対して框の見込寸法を大きくすることなく、他方側部材を兼用できる。他方側部材の嵌合片を一方側部材の底面部に設けられた嵌合溝に見込方向から直接嵌合することで、一方側部材の見付け片を複層ガラスと接着しながら容易に嵌合させられる。
【図面の簡単な説明】
【０００８】
【図１】図３に示すサッシの外障子の下框を拡大して示す縦断面図である。
【図２】図４に示すサッシの外障子の戸先框を拡大して示す横断面図である。
【図３】本発明のサッシの一実施形態を示す縦断面図である。
【図４】本発明のサッシの一実施形態を示す横断面図である。
【図５】複層ガラスを框に取付ける手順を示す縦断面図である。
【図６】従来のサッシの縦断面図である。
【図７】従来のサッシの横断面図である。
【発明を実施するための形態】
【０００９】
以下、本発明の実施の形態を図面に基づいて説明する。図１〜４は、本発明のサッシの一実施形態を示している。本サッシは、図３，４に示すように、躯体開口部に取付けたサッシ枠６と、サッシ枠６内に引違い状に開閉自在に納めた外障子７ａ及び内障子７ｂと、サッシ枠６内の外障子７ａの室外側に左右方向に移動自在に納めた網戸８とを備えている。
サッシ枠６は、上枠９と下枠１０と左右の竪枠１１，１１とを枠組みして構成してある。
外障子７ａと内障子７ｂは、上框３ａと下框３ｂと戸先框３ｃと召合せ框３ｄとを框組みし、その内側に複層ガラス１を納めて構成してある。各框３ａ，３ｂ，３ｃ，３ｄは、内周側に開口した溝１２を有し、その溝１２にグレチャン２を介して複層ガラス１の端縁部を嵌め込んで保持している。また框３ａ，３ｂ，３ｃ，３ｄは、室外側の部分がアルミ形材１３で形成され、室内側の部分が樹脂形材１４で形成してある。
外障子７ａと内障子７ｂは、図３に示すように、上枠９と下枠１０とに設けたレール１５ａ，１５ｂに案内され、上下枠９，１０の長手方向に沿って摺動自在となっており、図４に示すように、閉鎖時に外障子７ａは室内側から見て左側に、内障子７ｂは室内側から見て右側に位置し、クレセント１６により施錠される。
【００１０】
複層ガラス１は、見込み方向に間隔をおいて配置された室外側と室内側のガラスパネル１７ａ，１７ｂを、両ガラスパネル１７ａ，１７ｂ間の周縁部に配置されたスペーサー及びシール材１８にて接着して構成されている。
【００１１】
図１は下框３ｂを拡大して示しており、グレチャン２は同図に示すように一方側部材４と他方側部材５の２部材で構成してある。
一方側部材４は、複層ガラス１の室内側の見付け面に沿う見付け片１９と、見付け片１９の外周側端部より室外側にのびて複層ガラス１の端面に対向する底面部２０と、底面部２０の見込み方向中間部より内周側に突出した断面Ｌ形の係止片２１を有しており、底面部２０と係止片２１によって室外側が開口した嵌合溝２２が形成してある。嵌合溝２２内には、係止片２１と底面部２０とに係止用の突起２３ａ，２３ｂが設けてある。見付け片１９と底面部２０とのコーナー部には、室内側のガラスパネル１７ｂの端面に当接するガラス当接部２４が形成してあり、また係止片２１の内周側面は室外側のガラスパネル１７ａの端面に当接しており、ガラス当接部２４と係止片２１との間に内周側が開口した排水用溝２５が形成されている。排水用溝２５の底面には、水抜き孔２６が長手方向に間隔をおいて複数形成してある。見付け片１９の中間部室外側面には、複層ガラス１の室内側面に当接する突起２７が設けてあり、突起２７よりも外周側の見付け片１９根元側の室外側面に接着剤２８が塗布され、接着剤２８により見付け片１９が複層ガラス１と接着している。見付け片１９の先端部には、複層ガラス１の室内側面に当接する当接部２９が軟質樹脂で形成されており、当接部２９には下框３ｂの溝１２の室内側壁１２ａの先端部が係止する係止溝３０が設けてある。なお、一方側部材４の当接部２９以外の部分は、硬質樹脂で形成してある。
他方側部材５は、複層ガラス１の室外側の見付け面に沿う見付け片３１と、見付け片３１の外周側端部より室内側にのびる嵌合片３２とが硬質樹脂で形成されている。嵌合片３２の先端部には、係止用の突起２３ｃが設けてある。見付け片３１の先端部には、複層ガラス１の室外側面に当接する当接部３３が軟質樹脂で形成されており、当接部３３には下框３ｂの溝１２の室外側壁１２ｂの先端部が係止する係止溝３４が設けてある。
【００１２】
一方側部材４と他方側部材５とは、一方側部材４の嵌合溝２２に他方側部材５の嵌合片３２を室外側から挿入することで、複層ガラス１の外周側位置で嵌合し一体化している。嵌合片３２を嵌合溝２２内に挿入すると、係止片２１の内側に設けた突起２３ａにより嵌合片３２が底面部２０に向けて押し付けられ、嵌合片３２の突起２３ｃと底面部２０の突起２３ｂとが係止した状態に保持されるため、容易に抜けない。
【００１３】
下框３ｂの溝１２は、図１に示すように、室内側壁１２ａが室外側に倒れるように若干傾斜している。一体化したグレチャン２を下框３ｂの溝１２に内周側から押し込むと、グレチャン２は溝１２の室内側壁１２ａと室外側壁１２ｂに挟まれて室内外方向にやや圧縮され、溝１２の室外側壁１２ｂと室内側壁１２ａの先端部がグレチャン２の見付け片１９，３１先端の係止溝３０，３４に係止して、グレチャン２が溝１２内に保持される。上記のように溝１２の室内側壁１２ａが室外側に倒れるように傾斜していることで、グレチャン２が溝１２から抜けにくくなっている。
【００１４】
これまで下框３ｂの部分について説明したが、図２に示すように、戸先框３ｃや他の框３ａ，３ｄについても、下框３ｂと同様のグレチャン２を用いて複層ガラス１の端縁部を框の溝１２に保持している。戸先框３ｃは、中空部をなくして従来のものよりも見付寸法Ｗをスリムにしてあり、そのため本サッシは戸先框３ｃの見付寸法Ｗをスリムにした分だけ従来のものよりも視界が広くなり、採光性や意匠性が向上する（図４，７参照）。グレチャン２は、下框３ｂ以外の部分については、水抜き孔２６は設けてあってもよいし、設けてなくてもよい。
なおグレチャン２は、一本のものを複層ガラス１の四周に回すように設けてもよいし、複層ガラス１の上下左右の四辺に分割してあってもよい。
【００１５】
図５は、複層ガラス１の框３ａ，３ｂ，３ｃ，３ｄの溝１２への取付手順を示している。まず図５（ａ）に示すように、グレチャン２の一方側部材４の見付け片１９に接着剤２８を塗布し、接着剤２８により見付け片１９を複層ガラス１の室内側面に接着させる。このとき、一方側部材４の係止片２１の内周側面とガラス当接部２４を複層ガラス１の端面に当接させることで、一方側部材４を位置決めできる。また、見付け片１９の中間部に設けた突起２７により、接着剤２８が見付け片１９の先端側に漏れるのを防ぐことができる。その後、他方側部材５の嵌合片３２を一方側部材４の嵌合溝２２に室外側から嵌合させ、一方側部材４と他方側部材５とを一体化する。その後、図５（ｂ）に示すように、グレチャン２を取付けた複層ガラス１の端縁部を框３ａ，３ｂ，３ｃ，３ｄの溝１２内に押し込み、溝１２の室内側壁１２ａと室外側壁１２ｂ間にグレチャン２を嵌合させる。
【００１６】
以上に述べたように本サッシは、グレチャン２の一方側部材４が複層ガラス１と接着していることで、グレチャン２と複層ガラス１との間でずれが生じず、複層ガラス１と框３ａ，３ｂ，３ｃ，３ｄを強固に結合させられる。これにより、框３ａ，３ｂ，３ｃ，３ｄが受け持ってきた剛性を複層ガラス１に負担させられるので、図２に示すように、框３ａ，３ｂ，３ｃ，３ｄの見付寸法Ｗをスリムにしても、複層ガラス１が框の溝１２から抜けるのを防止できる。
グレチャン２を一方側部材４と他方側部材５とに分割したことで、一方側部材４への接着剤２８の塗布及び複層ガラス１との接着が容易に行え、一方側部材４と他方側部材５とを複層ガラス１の外周側位置で嵌合させて一体化し、框３ａ，３ｂ，３ｃ，３ｄの溝１２に押し込むことで、框３ａ，３ｂ，３ｃ，３ｄへの取付けも容易に行える。框３ａ，３ｂ，３ｃ，３ｄは従来のものを利用でき、ガラスの交換も可能である。また、一方側部材４と他方側部材５とを複層ガラス１の外周側位置で嵌合したことで、厚みの異なる複層ガラス１に対して他方側部材５を兼用できる。
さらに、グレチャン２の一方側部材４には底面部２０に排水用溝２５が形成してあると共に、排水用溝２５に水抜き孔２６が形成してあるので、図１中の矢印３５に示すように、グレチャン２の内側に浸入した水を排水用溝２５に集め、水抜き孔２６より外部に排水することができる。なお水抜き孔２６は、他方側部材５の見付け片３１と嵌合片３２とのコーナー部にも設けることができる。
さらに、框３ａ，３ｂ，３ｃ，３ｄの溝１２の室内側壁１２ａを溝内側に若干傾斜させたことで、グレチャン２及び複層ガラス１の溝１２への保持力を高めることができ、より一層複層ガラス１を抜けにくくすることができる。
【００１７】
本発明は以上に述べた実施形態に限定されない。グレチャン２の一方側部材４及び他方側部材５の具体的な形状は適宜変更することができる。一方側部材４と他方側部材５を室内外逆にしたもの、すなわち室外側の部材を複層ガラス１に接着するものであってもよい。一方側部材４と一方側部材５は、硬質樹脂と軟質樹脂を組み合わせたり、硬質樹脂のみ、軟質樹脂のみで形成することも可能であるが、少なくとも嵌合部（嵌合溝２２，嵌合片３２）は硬質樹脂で形成してあることが好ましい。框の構造や材質は任意である。本発明のサッシは、引き違いサッシに限らず、開き窓、すべり出し窓、嵌め殺し窓など、あらゆる窓種に対応することができる。
【符号の説明】
【００１８】
１  複層ガラス
２  グレチャン
３ａ  上框（框）
３ｂ  下框（框）
３ｃ  戸先框（框）
３ｄ  召合せ框（框）
４  一方側部材
５  他方側部材
【図１】
0006053106.tif 000002
【図２】
0006053106.tif 000003
【図３】
0006053106.tif 000004
【図４】
0006053106.tif 000005
【図５】
0006053106.tif 000006
【図６】
0006053106.tif 000007
【図７】
0006053106.tif 000008